(57)【要約】【課題】本設したかご室の仮運転を待って据え付けるとか、昇降路に足場を仮設して据え付ける必要のないエレベータ乗り場出入口の据付装置の提供を目的とする。【解決手段】袖壁５のそれぞれの下部には、袖壁５の昇降路１との対向面５ａから開口部側面５ｂに沿って折曲する板状金属体のブラケット６がアンカーボルト７により取り付けられており、このブラケット６に受金８がねじ９で固定されている。そして、三方枠１１と一体化された敷居１０が受金８の上に、この受金８に支えられるように載置されると共に、アンカーボルト６２で取り付けられる。【選択図】図１
2008179460.tif 000002
【特許請求の範囲】
【請求項１】
エレベータの昇降路とホールとを区画する建屋壁に開口部を形成し、この開口部にエレベータ乗り場の出入口を据え付けるエレベータ乗り場出入口の据付装置であって、
上記建屋壁の開口部の下部側面に取り付けられたブラケットと、上記ブラケットに支えられて固定される受金と、上記受金に載置して固定される敷居と、上記敷居の上に取り付けられる三方枠と、から構成されることを特徴とするエレベータ乗り場出入口の据付装置。
【請求項２】
エレベータの昇降路とホールとを区画する建屋壁に開口部を形成し、この開口部にエレベータ乗り場の出入口を据え付けるエレベータ乗り場出入口の据付装置であって、
上記建屋壁の開口部下部の昇降路側面に取り付けられたブラケットと、上記ブラケットに支えられて固定される受金と、上記受金に固定される敷居と、上記敷居の上に取り付けられる三方枠と、から構成されることを特徴とするエレベータ乗り場出入口の据付装置。
【請求項３】
上記ブラケットに昇降路側面に当接するねじを設けたことを特徴とする請求項２記載のエレベータ乗り場出入口の据付装置。
【請求項４】
上記ブラケットと受金の固定部に互いに交差する方向の長孔を形成したことを特徴とする請求項１〜請求項３の何れかに記載のエレベータ乗り場出入口の据付装置。
【請求項５】
上記敷居と三方枠を一体化して上記受金に載置し、上記建屋壁の開口部の底面に予め備えられた締結部材で締結することを特徴とする請求項１〜請求項４の何れかに記載のエレベータ乗り場出入口の据付装置。
【請求項６】
上記三方枠の側部と上記建屋壁の開口部側面を、略Ｌ字状固定金具を介して取り付けることを特徴とする請求項１〜請求項５の何れかに記載のエレベータ乗り場出入口の据付装置。
【発明の詳細な説明】
【技術分野】
【０００１】
この発明はエレベータ乗り場出入口の据付装置に係り、特に、エレベータ乗り場出入口を構成する三方枠の据付装置に関するものである。
【背景技術】
【０００２】
一般に、エレベータ乗り場出入口には三方枠が据え付けられている。この三方枠は、建屋各階床の乗り場床面近傍の昇降路壁に固定金具を介してアンカーボルトにより固定される敷居に、下端部が取付ボルトにより固定されて立設する２本の縦枠と、これら縦枠の上端部に取付ボルトにより両端部が固定される上枠とから構成されている。
【０００３】
そして、この三方枠をエレベータ乗り場出入口に据え付ける際には、昇降路に本設したかご室を作業床として据付作業を行うか、あるいは昇降路に仮設した足場から据付作業を行うことにより三方枠を据え付けている（例えば、特許文献１あるいは特許文献２参照）。
【０００４】
【特許文献１】特開平１１−４９４６４号公報（段落０００３、図１）
【特許文献２】特開平１１−２７８７８０号公報（段落００１０〜００１４、図２）
【発明の開示】
【発明が解決しようとする課題】
【０００５】
従来のエレベータ乗り場出入口の据付装置は、上記のように建屋各階床の乗り場床面近傍の昇降路壁に、固定金具を介してアンカーボルトで敷居を固定し、この敷居に三方枠を取り付ける構造であって、敷居に三方枠を取り付ける際に、昇降路に本設したかご室を作業床として据え付けるか、昇降路に仮設した足場から据え付けている。このため、三方枠を本設したかご室の仮運転を待って据え付けるか、昇降路に足場を仮設して据え付けなければならない課題があった。
【０００６】
この発明は上記のような課題を解決するためになされたもので、本設したかご室の仮運転を待って据え付けるとか、昇降路に足場を仮設して据え付ける必要のないエレベータ乗り場出入口の据付装置の提供を目的とするものである。
【課題を解決するための手段】
【０００７】
この発明に係るエレベータ乗り場出入口の据付装置は、エレベータの昇降路とホールとを区画する建屋壁に開口部を形成し、この開口部にエレベータ乗り場の出入口を据え付けるエレベータ乗り場出入口の据付装置であって、上記建屋壁の開口部の下部側面に取り付けられたブラケットと、上記ブラケットに支えられて固定される受金と、上記受金に載置して固定される敷居と、上記敷居の上に取り付けられる三方枠と、から構成されることを特徴とするものである。
【発明の効果】
【０００８】
この発明によれば、エレベータ乗り場出入口を昇降路側と反対側のホール側から据え付けることが可能になり、本設したかご室の仮運転を待って据え付けるとか、昇降路に足場を仮設するような必要がなくなり、据え付け作業が極めて容易となる効果がある。
【発明を実施するための最良の形態】
【０００９】
以下に添付図面を参照して、この発明に係るエレベータ乗り場出入口の据付装置について好適な実施の形態を説明する。
【００１０】
実施の形態１．
図１はこの発明の実施の形態１に係るエレベータ乗り場出入口の据付装置を示す斜視構成図である。図１において、昇降路１とホール２とは建屋壁３で区画され、この建屋壁３に乗り場出入口となる開口部４が形成されている。建屋壁３には図２に示すように両側部に袖壁５が形成されており、それぞれの袖壁５間が乗り場出入口である開口部４となっている。
【００１１】
袖壁５のそれぞれの下部には、袖壁５の昇降路１との対向面５ａから開口部側面５ｂに沿って折曲する板状金属体のブラケット６がアンカーボルト７により取り付けられており、このブラケット６に受金８がねじ９で固定されている。そして、後述するように三方枠と一体化された敷居１０が受金８の上に、この受金８に支えられるように載置されると共に、図示しないアンカーボルトで取り付けられ、乗り場出入口である開口部４の下方部分が構成されている。なお、ブラケット６には水平方向に長さを有する長孔６ａが形成されており、アンカーボルト７により取り付ける際の位置が調節できるように構成されている。
【００１２】
敷居１０には、図３に全体斜視図を示す三方枠１１が載置され、固定されている。この三方枠１１は、開口部４の左右端において敷居１０に立設する２本の縦枠１１ａ、１１ｂと、これら縦枠１１ａ、１１ｂの上端部に図示しない取付ボルトによりその両端部で固定される上枠１１ｃから構成されている。三方枠１１の縦枠１１ａ、１１ｂには、この三方枠１１を後述するように袖壁５の開口部側面５ｂにアンカーボルトで固定する固定金具１２が装着されている。なお、固定金具１２は板状金属体で構成され、図４に示すように、固定用の小孔１２ａと長孔１２ｂが形成されている。
【００１３】
実施の形態１に係るエレベータ乗り場出入口の据付装置は上記のように構成されており、次にその据付方法について図５〜図１１を用いて説明する。
先ず、図５に示すように、ブラケット６と受金８をボルト５０とナット５１により一体化して組立体を構成する。なお、ブラケット６と受金８は、ボルト５０とナット５１による締付られ、ブラケット６と受金８の固定部には、図６にその要部を示すように、互いに交差する方向に長孔６ｂ、８ａ形成され、この長孔６ｂと８ａにより高さ方向及び左右方向に取り付け時の調整ができるように構成されている。
【００１４】
次に、図７に示すように、袖壁５の開口部側面５ｂの中央部にアンカーボルト６０、下部にアンカーボルト７を打設し、開口部４の底面６１にアンカーボルト６０を打設する。なお、袖壁５の開口部側面５ｂの中央部に打設するアンカーボルト６２は、図３で説明した三方枠１１の縦枠１１ａ、１１ｂの固定金具１２の装着間隔に合わせるように打設する。
【００１５】
次に、図８に示すように、ブラケット６に形成した長孔６ａにアンカーボルト７を挿通し、角座金８０を介してナット８１を締め付けることにより、ブラケット６と受金８の組立体を袖壁５の開口部４の底部に取り付ける。この時、建築物の床仕上げ高さに合わせてブラケット６と受金８の組立体を袖壁５の開口部４の底部に取り付ける。
【００１６】
その後、図３に示すように縦枠１１ａ、１１ｂと上枠１１ｃが組立てられた三方枠１１を敷居１０と一体化した後、敷居１０を受金８に載置し、図９に示すように、固定金具１２とアンカーボルト６０で袖壁５の開口部側面５ｂに仮固定する。
【００１７】
図１０は、三方枠１１を袖壁５の開口部側面５ｂに仮固定する取付説明図で、固定金具１２の小孔１２ａ側を略Ｌ字状に折曲し、この固定金具１２の長孔１２ｂにアンカーボルト６０を挿通し、角座金１００、ばね座金１０１、ナット１０２を使用して緩く仮固定する。その後、小孔１２ａにねじ１０３を挿通して三方枠１１の縦枠１１ａ（図９参照）に固定金具１２を仮固定する。これにより、三方枠１１は袖壁５の開口部側面５ｂに緩く仮固定されることになる。なお、上記においては三方枠１１の縦枠１１ａと袖壁５の開口部側面５ｂとの固定方法について説明したが、三方枠１１の縦枠１１ｂ（図９参照）と袖壁５の開口部側面５ｂとの固定方法についても同様である。
【００１８】
次に、図１１に示すように、三方枠１１の下部に取り付けられる敷居１０の下方側部を、鉄筋１１０を用いてアンカーボルト６２に例えば溶接により固定する。その後、三方枠１１の前後方向の位置、及び垂直度を調整し、図１０において仮固定したナット１０２及びねじ１０３をそれぞれ締め付けることにより、三方枠１１を袖壁５の開口部側面５ｂに固定する。
【００１９】
この発明の実施の形態１に係るエレベータ乗り場出入口の据付装置は、上記のように袖壁５にブラケット６を取り付けて、このブラケット６に受金８を固定し、受金８により敷居１０を支えるように固定し、敷居１０の上に三方枠１１を据え付ける構成としたので、三方枠１１を昇降路１側でなく、ホール２側から据え付けることが可能になる。このため、本設したかご室の仮運転を待って据え付けるとか、昇降路に足場を仮設するような必要がなくなり、据え付け作業が極めて容易となる効果がある。
【００２０】
実施の形態２．
次に、実施の形態２について説明する。実施の形態１では、昇降路とホールとを区画する建屋壁に袖壁があり、この袖壁にエレベータ乗り場出入口を据え付けるエレベータ乗り場出入口の据付装置について説明したが、実施の形態２は、建屋壁に袖壁がない場合のエレベータ乗り場出入口の据付装置を説明するものである。
【００２１】
図１２はこの発明の実施の形態２に係るエレベータ乗り場出入口の据付装置を示す斜視構成図である。図１２において、昇降路１とホール２とは建屋壁３で区画され、この建屋壁３に乗り場出入口となる開口部４が形成されている。建屋壁３には図１３に平断面図を示すように一側部に袖壁５が形成されているが、他側部には袖壁が形成されておらず、昇降路側壁１２０となっており、昇降路側壁１２０と一側部に形成された袖壁５間が乗り場出入口である開口部４となっている。
【００２２】
昇降路側壁１２０の下部には、図１４にその要部を示すように、平板状金属体のブラケット１２１がアンカーボルト７により取り付けられており、このブラケット１２１に受金８がねじ９で固定されている。ブラケット１２１には、昇降路側壁１２０に当接するねじ１２２が設けられている。このねじ１２２は、昇降路側壁１２０の表面が平滑でない場合に、ブラケット１２１ががたつくのを防止するものである。なお、その他の構成については実施の形態１と同様であるので、同一符号を付すことにより、説明を省略する。
【００２３】
実施の形態２に係るエレベータ乗り場出入口の据付装置によれば、昇降路１とホール２とを区画する建屋壁３に袖壁がなく昇降路側壁１２０であっても、昇降路側壁１２０にブラケット１２１を取り付けて、このブラケット１２１に受金８を固定し、受金８により敷居１０を支えるように固定し、敷居１０の上に三方枠１１を据え付ける構成としたので、三方枠１１を昇降路１側でなく、ホール２側から据え付けることが可能になる。このため、本設したかご室の仮運転を待って据え付けるとか、昇降路に足場を仮設するような必要がなくなり、据え付け作業が極めて容易となる効果がある。勿論、実施の形態２によるエレベータ乗り場出入口の据付装置は、建屋壁３に袖壁がある構造のものでも、袖壁の開口部側面にブラケット１２１を取り付けて、上記と同様に三方枠１１を据え付けることが可能である。
【００２４】
なお、上記各実施の形態においては、ブラケット、受金、三方枠の据付に、アンカーボルトを使用した例について図示説明したが、この発明は、アンカーボルトに限らず同等の機能を有する締結部材であればよいことは勿論であり、諸種の設計的変更を包含するものである。
【産業上の利用可能性】
【００２５】
以上のように、この発明はホールからのエレベータ乗り場出入口据付工法によるエレベータ乗り場出入口の据付装置として利用できる。
【図面の簡単な説明】
【００２６】
【図１】この発明の実施の形態１に係るエレベータ乗り場出入口の据付装置を示す斜視構成図である。
【図２】この発明の実施の形態１に係る建屋壁を示す平断面図である。
【図３】この発明の実施の形態１に係る敷居に固定された三方枠を示す全体斜視図である。
【図４】この発明の実施の形態１に係る三方枠の縦枠に固定される固定金具を示す図である。
【図５】この発明の実施の形態１に係るブラケットと受金との取り付け状態を示す斜視図である。
【図６】図５に示すブラケットと受金との取り付け部の要部詳細斜視図である。
【図７】この発明の実施の形態１に係る三方枠を取り付ける前の建屋壁の状態を示す斜視図である。
【図８】この発明の実施の形態１に係る建屋壁にブラケットと受金とを取り付ける状態を示す斜視図である。
【図９】この発明の実施の形態１に係るブラケットと受金に敷居と三方枠を取り付ける状態を示す斜視図である。
【図１０】この発明の実施の形態１に係る三方枠を袖壁の開口部側面に仮固定する取付説明図である。
【図１１】この発明の実施の形態１に係る三方枠の下部に取り付けられる敷居の下方側部を、鉄筋を用いてアンカーボルトに溶接固定する状態を示す図である。
【図１２】この発明の実施の形態２に係るエレベータ乗り場出入口の据付装置を示す斜視構成図である。
【図１３】この発明の実施の形態２に係る建屋壁を示す平断面図である。
【図１４】図１２に示すブラケットと受金との取り付け部の要部詳細斜視図である。
【符号の説明】
【００２７】
１  昇降路                            ２  ホール
３  建屋壁                            ４  開口部
５  袖壁                              ５ａ  袖壁の昇降路との対向面
５ｂ  袖壁の開口部側面                ６、１２１  ブラケット
６ａ  長孔                            ７、６０、６２  アンカーボルト
８  受金                              ９、１０３、１２２  ねじ
１０  敷居                            １１  三方枠
１１ａ  縦枠                          １１ｂ  縦枠
１１ｃ  上枠                          １２  固定金具
１２ａ  小孔                          １２ｂ  長孔
５０  ボルト                          ５１、８１、１００  ナット
６１  開口部の底面                    ８０、１０１  角座金
１０２  ばね座金                      １１０  鉄筋
１２０  昇降路側壁
【図１】
2008179460.tif 000003
【図２】
2008179460.tif 000004
【図３】
2008179460.tif 000005
【図４】
2008179460.tif 000006
【図５】
2008179460.tif 000007
【図６】
2008179460.tif 000008
【図７】
2008179460.tif 000009
【図８】
2008179460.tif 000010
【図９】
2008179460.tif 000011
【図１０】
2008179460.tif 000012
【図１１】
2008179460.tif 000013
【図１２】
2008179460.tif 000014
【図１３】
2008179460.tif 000015
【図１４】
2008179460.tif 000016